(57)【要約】【課題】広い視野角特性を有しつつ透過率を向上し、表示品位の良好な画像を表示することができる液晶表示装置を提供することを目的とする。【解決手段】アレイ基板ＡＲと対向基板ＣＴとの間に、画素電極ＥＰと対向電極ＥＴとの間に電界が形成されていない状態では基板主面に対して略垂直に配向する液晶分子４０を含む液晶層ＬＱを備えた液晶表示装置であって、  １本置きの走査線Ｙまたは１本置きの信号線Ｘに対向する配向制御手段ＡＬＣを備え、  第１画素と、第１画素と同一色であって第１画素に対して行方向または列方向に沿って並んだ最近接の第２画素とのそれぞれの液晶分子は、画素電極と対向電極との間に電界が形成された状態で、基板主面内において互いに線対称な方向に配向することを特徴とする。【選択図】      図１
2010002727.tif 000002
【特許請求の範囲】
【請求項１】
マトリクス状の各画素にそれぞれ配置された画素電極、画素の行方向に延出した走査線、及び、画素の列方向に延出した信号線を備えたアレイ基板と、
前記アレイ基板に対向配置され複数の画素に共通の対向電極を備えた対向基板と、
前記アレイ基板と前記対向基板との間に保持され、前記画素電極と前記対向電極との間に電界が形成されていない状態では基板主面に対して略垂直に配向する液晶分子を含む液晶層と、
１本置きの前記走査線または１本置きの前記信号線に対向する配向制御手段と、
を備え、
第１画素と、前記第１画素と同一色であって前記第１画素に対して行方向または列方向に沿って並んだ最近接の第２画素とのそれぞれの液晶分子は、前記画素電極と前記対向電極との間に電界が形成された状態で、基板主面内において互いに線対称な方向に配向することを特徴とする液晶表示装置。
【請求項２】
前記配向制御手段は、前記対向電極に形成されたスリット、前記対向基板の前記アレイ基板と対向する面に配置された突起、または、前記アレイ基板の前記対向基板と対向する面に配置された突起のいずれかであることを特徴とする請求項１に記載の液晶表示装置。
【請求項３】
前記配向制御手段は、前記走査線または前記信号線に沿って連続的に形成されたことを特徴とする請求項１に記載の液晶表示装置。
【請求項４】
前記配向制御手段は、隣接する２本の前記走査線または隣接する２本の前記信号線に対して２列に千鳥配列されたことを特徴とする請求項１に記載の液晶表示装置。
【請求項５】
さらに、前記画素電極の略中央を通るように前記走査線と平行に延出した補助容量線を備え、
前記補助容量線に対向して、前記対向電極に形成されたスリット、前記対向基板の前記アレイ基板と対向する面に配置された突起、または、前記アレイ基板の前記対向基板と対向する面に配置された突起のいずれかが形成されたことを特徴とする請求項１に記載の液晶表示装置。
【請求項６】
前記画素電極と前記対向電極との間に電界が形成された状態で、前記第１画素と同一方向に配向する画素のみを駆動する狭視野角モードと、全画素を駆動する広視野角モードとを切り替えるモード切替部を備えたことを特徴とする請求項１に記載の液晶表示装置。
【請求項７】
前記配向制御手段を構成する突起は、画素間に配置されたブラックマトリクス、及び、複数の着色樹脂を重ねて形成されたことを特徴とする請求項１に記載の液晶表示装置。
【発明の詳細な説明】
【技術分野】
【０００１】
この発明は、液晶表示装置に係り、特に、垂直配向（ＶＡ）モードを利用した液晶表示装置に関する。
【背景技術】
【０００２】
液晶表示装置は、軽量、薄型、低消費電力などの特徴を生かして、パーソナルコンピュータなどのＯＡ機器やテレビなどの表示装置として各種分野で利用されている。近年では、液晶表示装置は、携帯電話などの携帯端末機器や、カーナビゲーション装置、ゲーム機などの表示装置としても利用されている。
【０００３】
このような液晶表示装置においては、視野角の拡大、コントラスト比の向上といった表示品位の向上が求められている。１画素内に配向方向が異なる複数のドメインを有するマルチドメイン型ＶＡ（Ｍｕｌｔｉ−ｄｏｍａｉｎ  Ｖｅｒｔｉｃａｌ  Ａｌｉｇｎｍｅｎｔ；ＭＶＡ）モードの液晶表示装置は、複数のドメインによって視野角が補償され、しかも、垂直配向処理の採用により配向膜表面付近の液晶分子が基板主面に対して略垂直に配向し液晶層の複屈折率がほぼ０となるため十分な黒が表示でき高いコントラスト比が得られるといった特性を有している。
【０００４】
ＭＶＡモードの液晶表示装置として、例えば、特許文献１によれば、ドット内に電極スリットや突起などを設ける代わりに、ドットのエッジに生じる斜め電界を積極的に利用して液晶の配向方向を制御する半透過反射型液晶表示装置が開示されている。これによれば、ドット全周のエッジに斜め電界が生じるため、隣接する２つのドット領域の透過表示エリア同士または反射表示エリア同士が電圧印加時に互いに逆向きの傾斜配向されるように構成される。
【０００５】
このようなＭＶＡモードは、配向膜が液晶分子の傾斜方向を規制する訳ではない。したがって、このＭＶＡモードでは、ツイステッド・ネマティック（ＴＮ）を代表とする水平配向方式では必ずといっていいほど必要である、ラビング処理に代表される配向処理工程を必要としない。このため、プロセス的にはラビング処理による静電気やゴミの発生といった問題を解消し、配向処理後の洗浄工程も不要である。また、配向的にもプレティルトのバラツキによる表示ムラの問題も無く、プロセスの簡便化、歩留まりの向上により、低コスト化が可能という利点もある。
【特許文献１】特開２００４−３４１４８６号公報
【発明の開示】
【発明が解決しようとする課題】
【０００６】
しかしながら、従来のＭＶＡモードでは、１つの画素（ドット）内に配向方向が互いに異なる複数のドメインを構成し、配向分割することにより広い視角特性が得られるが、ドメインの境界部分には入射光が透過しない暗線が発生する。透過型の液晶表示装置において、このような暗線が表示に寄与すべき画素の開口部で発生すると、透過率が低下してしまう。
【０００７】
この発明は、上述した問題点に鑑みなされたものであって、その目的は、広い視野角特性を有しつつ透過率を向上し、表示品位の良好な画像を表示可能な液晶表示装置を提供することにある。
【課題を解決するための手段】
【０００８】
この発明の態様による液晶表示装置は、
マトリクス状の各画素にそれぞれ配置された画素電極、画素の行方向に延出した走査線、及び、画素の列方向に延出した信号線を備えたアレイ基板と、
前記アレイ基板に対向配置され複数の画素に共通の対向電極を備えた対向基板と、
前記アレイ基板と前記対向基板との間に保持され、前記画素電極と前記対向電極との間に電界が形成されていない状態では基板主面に対して略垂直に配向する液晶分子を含む液晶層と、
１本置きの前記走査線または１本置きの前記信号線に対向する配向制御手段と、
を備え、
第１画素と、前記第１画素と同一色であって前記第１画素に対して行方向または列方向に沿って並んだ最近接の第２画素とのそれぞれの液晶分子は、前記画素電極と前記対向電極との間に電界が形成された状態で、基板主面内において互いに線対称な方向に配向することを特徴とする。
【発明の効果】
【０００９】
この発明によれば、広い視野角特性を有しつつ透過率を向上し、表示品位の良好な画像を表示する液晶表示装置を提供することができる。
【発明を実施するための最良の形態】
【００１０】
以下、この発明の一実施の形態に係る液晶表示装置について図面を参照して説明する。ここでは、各画素の少なくとも一部がバックライト光を選択的に透過して画像を表示する透過表示部として構成された液晶表示装置を例に説明する。
【００１１】
図１及び図２に示すように、液晶表示装置は、アクティブマトリクスタイプの液晶表示装置であって、液晶表示パネルＬＰＮを備えている。この液晶表示パネルＬＰＮは、一対の基板、すなわちアレイ基板（第１基板）ＡＲと、アレイ基板ＡＲに対向して配置された対向基板（第２基板）ＣＴと、を備えている。また、液晶表示パネルＬＰＮは、アレイ基板ＡＲと対向基板ＣＴとの間に保持された液晶層ＬＱを備えている。
【００１２】
また、この液晶表示装置は、液晶表示パネルＬＰＮの一方の外面（すなわち、アレイ基板ＡＲの液晶層ＬＱと接触する面とは反対側の面）に設けられた第１光学素子ＯＤ１、及び、液晶表示パネルＬＰＮの他方の外面（すなわち、対向基板ＣＴの液晶層ＬＱと接触する面とは反対側の面）に設けられた第２光学素子ＯＤ２を備えている。さらに、この液晶表示装置は、第１光学素子ＯＤ１側から液晶表示パネルＬＰＮを照明するバックライトユニットＢＬを備えている。
【００１３】
このような液晶表示パネルＬＰＮは、画像を表示する表示エリア（アクティブエリア）ＤＳＰを備えている。この表示エリアＤＳＰは、ｍ×ｎ個のマトリクス状に配置された複数の画素ＰＸによって構成されている。
【００１４】
アレイ基板ＡＲは、ガラス板や石英板などの光透過性を有する絶縁基板１０を用いて形成されている。すなわち、このアレイ基板ＡＲは、表示エリアＤＳＰにおいて、各画素ＰＸに配置されたｍ×ｎ個の画素電極ＥＰ、各画素ＰＸの行方向に沿って延出するようにそれぞれ配置されたｎ本の走査線Ｙ（Ｙ１〜Ｙｎ）、各画素ＰＸの列方向に沿って延出するようにそれぞれ配置されたｍ本の信号線Ｘ（Ｘ１〜Ｘｍ）、各画素ＰＸにおいて走査線Ｙと信号線Ｘとの交差部を含む領域に配置されたｍ×ｎ個のスイッチング素子Ｗ、走査線Ｙと同様に行方向に沿って延出するようにそれぞれ配置され液晶容量ＣＬＣと並列に補助容量ＣＳを構成するよう画素電極ＥＰに容量結合する補助容量線ＡＹなどを備えている。
【００１５】
走査線Ｙ及び補助容量線ＡＹは、略平行に配置され、同一材料によって形成可能である。また、補助容量線ＡＹは、層間絶縁膜１６などの絶縁膜を介して画素電極ＥＰと対向するとともに複数の画素電極ＥＰを横切るように配置されている。信号線Ｘは、層間絶縁膜１６を介して走査線Ｙ及び補助容量線ＡＹと略直交するように配置されている。これらの信号線Ｘ、走査線Ｙ、及び、補助容量線ＡＹは、アルミニウム、モリブデン、タングステン、チタンなどの導電材料によって形成されている。
【００１６】
各スイッチング素子Ｗは、例えば、ｎチャネル薄膜トランジスタによって構成されている。このスイッチング素子Ｗは、絶縁基板１０の上に配置された半導体層１２を備えている。この半導体層１２は、例えば、ポリシリコンやアモルファスシリコンなどによって形成可能であり、ここではポリシリコンによって形成されている。半導体層１２は、チャネル領域１２Ｃを挟んだ両側にそれぞれソース領域１２Ｓ及びドレイン領域１２Ｄを有している。この半導体層１２は、ゲート絶縁膜１４によって覆われている。
【００１７】
スイッチング素子Ｗのゲート電極ＷＧは、走査線Ｙに接続され（あるいは、走査線Ｙと一体的に形成され）、走査線Ｙ及び補助容量線ＡＹとともにゲート絶縁膜１４上に配置されている。これらのゲート電極ＷＧ、走査線Ｙ、及び、補助容量線ＡＹは、層間絶縁膜１６によって覆われている。
【００１８】
スイッチング素子Ｗのソース電極ＷＳ及びドレイン電極ＷＤは、層間絶縁膜１６の上においてゲート電極ＷＧの両側に配置されている。ソース電極ＷＳは、信号線Ｘに接続される（あるいは、信号線Ｘと一体に形成される）とともに、半導体層１２のソース領域１２Ｓにコンタクトしている。ドレイン電極ＷＤは、画素電極ＥＰに接続される（あるいは画素電極ＥＰと一体に形成される）とともに、半導体層１２のドレイン領域１２Ｄにコンタクトしている。これらのソース電極ＷＳ、ドレイン電極ＷＤ、及び、信号線Ｘは、有機絶縁膜１８によって覆われている。
【００１９】
画素電極ＥＰは、有機絶縁膜１８の上に配置され、有機絶縁膜１８に形成されたコンタクトホールを介してドレイン電極ＷＤと電気的に接続されている。この画素電極ＥＰは、インジウム・ティン・オキサイド（ＩＴＯ）やＩＺＯ（インジウム・ジンク・オキサイド）などの光透過性を有する導電材料によって形成されている。すべての画素ＰＸに対応した画素電極ＥＰは、第１配向膜２０によって覆われている。
【００２０】
一方、対向基板ＣＴは、ガラス板や石英板などの光透過性を有する絶縁基板３０を用いて形成されている。すなわち、この対向基板ＣＴは、表示エリアＤＳＰにおいて、対向電極ＥＴなどを備えている。対向電極ＥＴは、複数の画素ＰＸに対応して画素電極ＥＰに対向するように配置されている。この対向電極ＥＴは、ＩＴＯなどの光透過性を有する導電材料によって形成されている。また、この対向電極ＥＴは、第２配向膜３６によって覆われている。
【００２１】
カラー表示タイプの液晶表示装置は、各画素ＰＸに対応して液晶表示パネルＬＰＮの内面に設けられたカラーフィルタ層３４を備えている。図２に示した例では、カラーフィルタ層３４は、対向基板ＣＴに設けられている。カラーフィルタ層３４は、互いに異なる複数の色、例えば赤色、青色、緑色といった３原色にそれぞれ着色された着色樹脂によって形成されている。赤色着色樹脂、青色着色樹脂、及び緑色着色樹脂は、それぞれ赤色画素ＰＸＲ、青色画素ＰＸＢ、及び緑色画素ＰＸＧに対応して配置されている。
【００２２】
なお、図２に示したカラー表示タイプの液晶表示装置の例では、カラーフィルタ層３４は、対向基板ＣＴ側に配置されているが、アレイ基板ＡＲ側に配置しても良い。この場合、アレイ基板ＡＲにおける有機絶縁膜１８をカラーフィルタ層３４に置き換えることが可能である。
【００２３】
また、各画素ＰＸは、図示しないブラックマトリクスによって区画されている。このブラックマトリクスは、黒色着色樹脂などによって形成され、アレイ基板ＡＲに設けられた走査線Ｙや信号線Ｘ、スイッチング素子Ｗなどの配線部に対向するように配置されている。また、カラーフィルタ層３４の表面の凹凸の影響を緩和するために、カラーフィルタ層３４と対向電極ＥＴとの間に、オーバーコート層を配置しても良い。
【００２４】
このような対向基板ＣＴと、上述したようなアレイ基板ＡＲとをそれぞれの第１配向膜２０及び第２配向膜３６を対向するように配置したとき、両者の間に配置された図示しないスペーサ（例えば、樹脂材料によって一方の基板と一体的に形成された柱状スペーサ）により、所定のギャップが形成される。
【００２５】
液晶層ＬＱは、これらのアレイ基板ＡＲの第１配向膜２０と対向基板ＣＴの第２配向膜３６との間に形成されたギャップに封入された液晶分子４０を含む液晶組成物によって構成されている。この液晶分子４０は、例えば、負の誘電率異方性を有している。
【００２６】
第１配向膜２０及び第２配向膜３６は、画素電極ＥＰの電位と対向電極ＥＴの電位との間に電位差が形成されていない状態、つまり、画素電極ＥＰと対向電極との間に電界が形成されていない無電界時には、それぞれ液晶分子４０を絶縁基板１０（あるいは、アレイ基板ＡＲ）の主面及び絶縁基板３０（あるいは、対向基板ＣＴ）の主面に対して略垂直に配向する特性を有している。このような第１配向膜２０及び第２配向膜３６を形成するための材料としては、基本的には垂直配向性を示す光透過性を有する薄膜であれば特に限定されない。
【００２７】
また、液晶表示装置は、アレイ基板ＡＲの表示エリアＤＳＰの周辺の駆動回路領域ＤＣＴにおいて、ｎ本の走査線Ｙに接続された走査線ドライバＹＤを構成する少なくとも一部、及び、ｍ本の信号線Ｘに接続された信号線ドライバＸＤを構成する少なくとも一部を備えていても良い。このとき、これらの走査線ドライバＹＤ及び信号線ドライバＸＤは、スイッチング素子Ｗと同様にポリシリコンを含む薄膜トランジスタを含んでいても良い。
【００２８】
走査線ドライバＹＤは、コントローラＣＮＴによる制御に基づいてｎ本の走査線Ｙに順次走査信号（駆動信号）を供給する。また、信号線ドライバＸＤは、コントローラＣＮＴによる制御に基づいて各行のスイッチング素子Ｗが走査信号によってオンするタイミングでｍ本の信号線Ｘに映像信号（駆動信号）を供給する。これにより、各行の画素電極ＥＰは、対応するスイッチング素子Ｗを介して供給される映像信号に応じた画素電位にそれぞれ設定される。
【００２９】
第１光学素子ＯＤ１及び第２光学素子ＯＤ２は、それぞれ少なくとも偏光板を含んでいる。これらの偏光板は、例えばそれぞれの吸収軸が互いに直交するように配置されている。また、これらの第１光学素子ＯＤ１及び第２光学素子ＯＤ２は、透過光に対して適当な位相差を付与する位相差板を含んでいてもよい。
【００３０】
この実施の形態では、液晶層ＬＱに含まれる液晶分子４０は、無電界時には、第１配向膜２０及び第２配向膜３６による配向制御によって、その長軸が基板主面に対して略垂直な方向（あるいは、液晶表示パネルＬＰＮの法線方向）に略平行に配向している。このような状態においては、第１光学素子ＯＤ１を透過したバックライト光は、液晶層ＬＱを透過した後、第２光学素子ＯＤ２に吸収される。したがって、液晶表示パネルＬＰＮの透過率が最低となる（つまり、黒色画面が表示される）。
【００３１】
一方、画素電極ＥＰと対向電極ＥＴとの間に電界が形成された状態では、誘電率異方性が負の液晶分子４０は、電界に対して略直交する方向に配向する。基板主面の法線に対して傾斜した電界に対しては、液晶分子４０は、その長軸が基板主面に対して略平行な方向あるいは傾斜した方向に配向している。
【００３２】
このような状態においては、第１光学素子ＯＤ１を透過したバックライト光は、液晶層ＬＱを透過した後、少なくとも一部が第２光学素子ＯＤ２を透過可能となる。したがって、白色画面が表示される。
【００３３】
このようにして、ノーマリーブラックモードの垂直配向モードが実現される。
【００３４】
ところで、この実施の形態においては、同一色を表示する２つの画素を用いて視野角補償が可能なマルチドメイン構造を構成している。より具体的には、液晶表示装置は、１本置きの走査線Ｙまたは１本置きの信号線Ｘに対向する配向制御手段を備えている。この配向制御手段について、図３乃至図５を参照して具体的に説明する。なお、図３乃至図５においては、説明に必要な構成のみを図示している。
【００３５】
走査線Ｙ及び信号線Ｘといった配線部ＷＰと対向する配向制御手段ＡＬＣは、図３に示した例では、対向電極ＥＴに形成されたスリットＳＬによって構成されている。また、図４に示した例では、配向制御手段ＡＬＣは、対向基板ＣＴのアレイ基板ＡＲと対向する面に配置された突起ＣＰによって構成されている。また、図５に示した例では、配向制御手段ＡＬＣは、アレイ基板ＡＲの対向基板ＣＴと対向する面に配置された突起ＣＰによって構成されている。
【００３６】
これらの配向制御手段ＡＬＣは、配線部ＷＰを挟んで隣接する画素電極ＥＰのそれぞれの周縁部ＥＰＥと重なるように形成されている。これにより、画素電極ＥＰの周縁部ＥＰＥ付近と対向電極ＥＴとの間に基板主面ＰＬの法線に対して傾斜した電界が形成可能となる。このため、周縁部ＥＰＥと配向制御手段ＡＬＣとの間付近の液晶分子４０は、このような傾斜電界によって所定の方向に配向する。
【００３７】
つまり、配向制御手段ＡＬＣを挟んで隣接する画素において、配向制御手段ＡＬＣについて互いに逆方向に傾斜した電界が形成されるため、それぞれの画素の液晶分子４０も互いに逆方向に配向する。基板主面内においては、図６に示すように、配向制御手段ＡＬＣを挟んで隣接する画素のそれぞれの液晶分子は、図中の矢印で示したように、互いに線対称な方向に配向する。
【００３８】
この配向制御手段ＡＬＣとして突起ＣＰを適用する場合には、突起ＣＰは、絶縁膜によって形成される。絶縁膜としては、例えばＳｉＯ２、ＳｉＮｘ、Ａｌ２Ｏ３などの無機系材料、ポリイミド、フォトレジスト樹脂、高分子液晶など有機系材料などを用いることができる。突起ＣＰが無機系材料の場合には、蒸着法、スパッタ法、ＣＶＤ（Ｃｈｅｍｉｃａｌ  Ｖａｐｏｒ  Ｄｅｐｏｓｉｔｉｏｎ）法、あるいは溶液塗布法などによって形成可能である。また、突起ＣＰが有機系材料の場合には、有機物質を溶かした溶液またはその前駆体溶液を用いて、スピンナー塗布法、スクリーン印刷塗布法、ロール塗布法などで塗布し、所定の硬化条件（加熱、光照射など）で硬化させ形成する方法、あるいは蒸着法、スパッタ法、ＣＶＤ法、ＬＢ（Ｌａｎｇｕｍｕｉｒ−Ｂｌｏｄｇｅｔｔ）法などによって形成可能である。
【００３９】
特に、突起ＣＰを有機系材料によって形成する場合には、液晶層ＬＱのギャップを保持する柱状スペーサＳＰと同一材料により同時に形成可能である。当然のことながら、このような場合には、突起ＣＰ及び柱状スペーサＳＰは、同一基板に形成される。
【００４０】
このような配向制御手段ＡＬＣを１本置きの配線部ＷＰに対向するように配置したことにより、同一色の最近接画素におけるそれぞれの液晶分子は、電界が形成された状態で、基板主面内において互いに線対称な方向に配向する。ここで、最近接画素とは、基準画素と、この基準画素に対して行方向または列方向に沿って並んだ基準画素と同一色の画素との関係に相当する。
【００４１】
この具体例について、以下の各構成例を参照しながら説明する。
【００４２】
《第１構成例》
図７に示す第１構成例においては、配向制御手段ＡＬＣは、信号線Ｘに対向するように配置され、特に、信号線Ｘに沿って連続的に形成されている。ここでは、例えば、配向制御手段ＡＬＣは、偶数番の信号線（Ｘ２、Ｘ４、Ｘ６、…）に対向するように配置され、それぞれの配向制御手段ＡＬＣは、表示エリアＤＳＰにおいて一続きに形成されている。なお、配向制御手段ＡＬＣは、奇数番の信号線（Ｘ１、Ｘ３、Ｘ５、…）に対向するように配置されても良い。
【００４３】
表示エリアＤＳＰにおいて、赤色画素ＰＸＲ、緑色画素ＰＸＧ、青色画素ＰＸＢがこの順に行方向Ｈに沿って並んで１グループＧＰを形成し、このグループＧＰが行方向Ｈに並んでいる。また、列方向に沿っては同一色の画素が並んでいる。
【００４４】
この第１構成例において、第１グループＧＰ１の赤色画素Ｒ１１と緑色画素Ｇ１１との間、青色画素Ｂ１１と第２グループＧＰ２の赤色画素Ｒ１２との間、緑色画素Ｇ１２と青色画素Ｂ１２との間に、それぞれ列方向Ｖに延出した配向制御手段ＡＬＣが配置されている。
【００４５】
つまり、赤色画素Ｒ１１の一端側に配向制御手段ＡＬＣが配置される一方で、赤色画素Ｒ１２の他端側に配向制御手段ＡＬＣが配置される。同様に、緑色画素Ｇ１１の一端側に配向制御手段ＡＬＣが配置される一方で、緑色画素Ｇ１２の他端側に配向制御手段ＡＬＣが配置される。また、青色画素Ｂ１１の一端側に配向制御手段ＡＬＣが配置される一方で、青色画素Ｂ１２の他端側に配向制御手段ＡＬＣが配置される。
【００４６】
このような第１構成例によれば、電界が形成された状態では、赤色画素Ｒ１１の液晶分子は、緑色画素Ｇ１１との間の配向制御手段ＡＬＣの影響を受けて平均的に行方向Ｈに沿った矢印Ｈ１の方向に配向する。また、緑色画素Ｇ１１の液晶分子は、赤色画素Ｒ１１との間の配向制御手段ＡＬＣの影響を受けて平均的に行方向Ｈに沿った矢印Ｈ２（Ｈ１とは逆向き）の方向に配向する。同様にして、青色画素Ｂ１１の液晶分子は矢印Ｈ１の方向に配向し、赤色画素Ｒ１２の液晶分子は矢印Ｈ２の方向に配向し、緑色画素Ｇ１２の液晶分子は矢印Ｈ１の方向に配向し、青色画素Ｂ１２の液晶分子は矢印Ｈ２の方向に配向する。
【００４７】
一方で、同一色の最近接画素の関係については、赤色画素Ｒ１１の液晶分子が矢印Ｈ１の方向に配向するのに対して、赤色画素Ｒ１１の行方向Ｈに沿って並んだ最近接の赤色画素Ｒ１２の液晶分子は矢印Ｈ２の方向に配向する。同様に、緑色画素Ｇ１１の液晶分子が矢印Ｈ１の方向に配向するのに対して、緑色画素Ｇ１２の液晶分子は矢印Ｈ２の方向に配向する。また、青色画素Ｂ１１の液晶分子が矢印Ｈ１の方向に配向するのに対して、青色画素Ｂ１２の液晶分子は矢印Ｈ２の方向に配向する。
【００４８】
なお、列方向Ｖに沿って並んだ同一色の最近接画素（例えば、赤色画素Ｒ１１と赤色画素Ｒ２１との関係）については、それぞれの液晶分子は同一方向に配向している。
【００４９】
上述したような行方向Ｈに沿って並んだ同一色の最近接画素については、略同一階調を表示するため、実質的にマルチドメイン構造を２画素に分配したことになる。
【００５０】
つまり、単一画素においては、液晶分子の配向方向が行方向Ｈに沿って非対称である（すなわち、矢印Ｈ１または矢印Ｈ２の一方向にしか配向していない）ため、例えば行方向Ｈが画面の水平方向に対応する場合、画面の正面から右側に視角を拡大したときには同一のコントラスト比が得られる視野角が十分に広いのに対して、画面の正面から左側に視角を拡大したときには視野角が極端に狭い。
【００５１】
このため、同一色の最近接画素における液晶分子が対称に配向するような構成（すなわち、一方の画素では液晶分子が矢印Ｈ１の方向に配向し、他方の画素では液晶分子が矢印Ｈ２の方向に配向するような構成）によれば、例えば、画面の正面から右側に視角を拡大したときには一方の画素によって広い視野角を得て、画面の正面から左側に視角を拡大したときには他方の画素によって広い視野角を得ることにより、互いに視野角を補償し、広い視野角特性を確保することが可能となる。
【００５２】
また、このような構成によれば、配向制御手段ＡＬＣは、画素間の信号線Ｘに対向するように配置されるため、表示に寄与すべき画素の開口部を大幅に犠牲にすることがなく、透過率を向上することが可能となる。
【００５３】
しかも、１画素における暗線の数を減少させることができ、特に、第１構成例においては配向制御手段ＡＬＣと暗線とが重なるため、透過率を向上することができ、表示品位の高い液晶表示装置を提供できる。
【００５４】
《第２構成例》
図８に示す第２構成例においては、配向制御手段ＡＬＣは、信号線Ｘに対向するように配置され、特に、１本の信号線Ｘに沿って不連続的（あるいは、飛び飛び）に形成されている。ここでは、例えば、配向制御手段ＡＬＣは、奇数行（１行、３行…）目については偶数番の信号線（Ｘ２、Ｘ４、Ｘ６、…）に対向するように配置され、また、偶数行（２行、４行…）目については奇数番の信号線（Ｘ１、Ｘ３、Ｘ５、…）に対向するように配置されている。つまり、配向制御手段ＡＬＣは、隣接する２本の信号線Ｘに対して２列に千鳥配列されている。
【００５５】
この第２構成例において、奇数行目については、赤色画素Ｒ１１と緑色画素Ｇ１１との間、青色画素Ｂ１１と赤色画素Ｒ１２との間、緑色画素Ｇ１２と青色画素Ｂ１２との間に、それぞれ列方向Ｖに延出した配向制御手段ＡＬＣが配置されている。また、偶数行目については、赤色画素Ｒ２１の一端側、緑色画素Ｇ２１と青色画素Ｂ２１との間、赤色画素Ｒ２２と緑色画素Ｇ２２との間、青色画素Ｂ２２の他端側に、それぞれ列方向Ｖに延出した配向制御手段ＡＬＣが配置されている。
【００５６】
このような第２構成例によれば、電界が形成された状態では、赤色画素Ｒ１１の液晶分子は矢印Ｈ１の方向に配向し、緑色画素Ｇ１１の液晶分子は矢印Ｈ２の方向に配向する。同様にして、青色画素Ｂ１１の液晶分子は矢印Ｈ１の方向に配向し、赤色画素Ｒ１２の液晶分子は矢印Ｈ２の方向に配向し、緑色画素Ｇ１２の液晶分子は矢印Ｈ１の方向に配向し、青色画素Ｂ１２の液晶分子は矢印Ｈ２の方向に配向する。
【００５７】
また、赤色画素Ｒ２１の液晶分子は矢印Ｈ２の方向に配向し、緑色画素Ｇ２１の液晶分子は矢印Ｈ１の方向に配向する。同様にして、青色画素Ｂ２１の液晶分子は矢印Ｈ２の方向に配向し、赤色画素Ｒ２２の液晶分子は矢印Ｈ１の方向に配向し、緑色画素Ｇ２２の液晶分子は矢印Ｈ２の方向に配向し、青色画素Ｂ２２の液晶分子は矢印Ｈ１の方向に配向する。
【００５８】
一方で、行方向に並んだ同一色の最近接画素については、赤色画素Ｒ１１の液晶分子が矢印Ｈ１の方向に配向するのに対して、赤色画素Ｒ１２の液晶分子は矢印Ｈ２の方向に配向する。同様に、緑色画素Ｇ１１の液晶分子が矢印Ｈ１の方向に配向するのに対して、緑色画素Ｇ１２の液晶分子は矢印Ｈ２の方向に配向する。また、青色画素Ｂ１１の液晶分子が矢印Ｈ１の方向に配向するのに対して、青色画素Ｂ１２の液晶分子は矢印Ｈ２の方向に配向する。
【００５９】
また、列方向Ｖに並んだ同一色の最近接画素については、赤色画素Ｒ２１の液晶分子が矢印Ｈ２の方向に配向するのに対して、赤色画素Ｒ１１の液晶分子は矢印Ｈ１の方向に配向する。同様に、緑色画素Ｇ２１の液晶分子が矢印Ｈ２の方向に配向するのに対して、緑色画素Ｇ１１の液晶分子は矢印Ｈ１の方向に配向する。また、青色画素Ｂ２１の液晶分子が矢印Ｈ２の方向に配向するのに対して、青色画素Ｂ１１の液晶分子は矢印Ｈ１の方向に配向する。
【００６０】
上述したような行方向Ｈまたは列方向Ｖに並んだ同一色の最近接画素については、略同一階調を表示するため、実質的にマルチドメイン構造を２画素に分配したことになり、広い視野角特性を確保することが可能となる。
【００６１】
更に、この第２構成例によれば、上述したように行方向Ｈに並んだ同一色の最近接画素（例えば、赤色画素Ｒ１１と赤色画素Ｒ１２）についてマルチドメインを構成することもできれば、列方向Ｖに並んだ同一色の最近接画素(例えば、赤色画素Ｒ１１と赤色画素Ｒ２１)についてマルチドメインを構成することも可能となる。すなわち、この第２構成例によれば、配向分割が列方向の２画素あるいは行方向の２画素で出来るため、配向分割に利用できる画素が増える。このため、配向分割の仕方の自由度が増し多様な配向分割の構成が可能となる。
【００６２】
また、この第２構成例によれば、第１構成例と同様に、透過率を向上することができ、表示品位の高い液晶表示装置を提供できる。
【００６３】
《第３構成例》
図９に示す第３構成例においては、配向制御手段ＡＬＣは、走査線Ｙに対向するように配置され、特に、走査線Ｙに沿って連続的に形成されている。ここでは、例えば、配向制御手段ＡＬＣは、偶数番の走査線（Ｙ２、Ｙ４、…）に対向するように配置され、それぞれの配向制御手段ＡＬＣは、表示エリアＤＳＰにおいて一続きに形成されている。なお、配向制御手段ＡＬＣは、奇数番の走査線（Ｙ１、Ｙ３、…）に対向するように配置されても良い。
【００６４】
この第３構成例において、奇数行目の画素と偶数行目の画素との間（つまり、１行目と２行目の間、３行目と４行目の間、…）に、それぞれ行方向Ｈに延出した配向制御手段ＡＬＣが配置されている。
【００６５】
このような第３構成例によれば、電界が形成された状態では、赤色画素Ｒ１１の液晶分子は、赤色画素Ｒ２１との間の配向制御手段ＡＬＣの影響を受けて平均的に列方向Ｖに沿った矢印Ｖ１の方向に配向する。また、赤色画素Ｒ２１の液晶分子は、赤色画素Ｒ１１との間の配向制御手段ＡＬＣの影響を受けて平均的に列方向Ｖに沿った矢印Ｖ２（Ｖ１とは逆向き）の方向に配向する。同様にして、緑色画素Ｇ１１の液晶分子は矢印Ｖ１の方向に配向し、緑色画素Ｇ２１の液晶分子は矢印Ｖ２の方向に配向する。また、青色画素Ｂ１１の液晶分子は矢印Ｖ１の方向に配向し、青色画素Ｂ２１の液晶分子は矢印Ｖ２の方向に配向する。
【００６６】
なお、行方向Ｈに沿って並んだ同一色の最近接画素（例えば、赤色画素Ｒ１１と赤色画素Ｒ１２との関係）については、それぞれの液晶分子は同一方向に配向している。
【００６７】
上述したような列方向Ｖに沿って並んだ同一色の最近接画素については、略同一階調を表示するため、実質的にマルチドメイン構造を２画素に分配したことになる。
【００６８】
つまり、単一画素においては、液晶分子の配向方向が列方向Ｖに沿って非対称である（すなわち、矢印Ｖ１または矢印Ｖ２の一方向にしか配向していない）ため、例えば列方向Ｖが画面の垂直方向に対応する場合、画面の正面から上側に視角を拡大したときには同一のコントラスト比が得られる視野角が十分に広いのに対して、画面の正面から下側に視角を拡大したときには視野角が極端に狭い。
【００６９】
このため、同一色の最近接画素における液晶分子が対称に配向するような構成（すなわち、一方の画素では液晶分子が矢印Ｖ１の方向に配向し、他方の画素では液晶分子が矢印Ｖ２の方向に配向するような構成）によれば、例えば、画面の正面から上側に視角を拡大したときには一方の画素によって広い視野角を得て、画面の正面から下側に視角を拡大したときには他方の画素によって広い視野角を得ることにより、互いに視野角を補償し、広い視野角特性を確保することが可能となる。
【００７０】
また、このような構成によれば、配向制御手段ＡＬＣは、画素間の走査線Ｙに対向するように配置されるため、表示に寄与すべき画素の開口部を大幅に犠牲にすることがなく、透過率を向上することが可能となる。
【００７１】
しかも、１画素における暗線の数を減少させることができ、特に、第１構成例においては配向制御手段ＡＬＣと暗線とが重なるため、透過率を向上することができ、表示品位の高い液晶表示装置を提供できる。
【００７２】
《第４構成例》
図１０に示す第４構成例においては、配向制御手段ＡＬＣは、走査線Ｙに対向するように配置され、特に、１本の走査線Ｙに沿って不連続的（あるいは、飛び飛び）に形成されている。ここでは、例えば、配向制御手段ＡＬＣは、奇数列（１列、３列…）目については偶数番の走査線（Ｙ２、Ｙ４、Ｙ６、…）に対向するように配置され、また、偶数列（２列、４列…）目については奇数番の走査線（Ｙ１、Ｙ３、Ｙ５、…）に対向するように配置されている。つまり、配向制御手段ＡＬＣは、隣接する２本の走査線Ｙに対して２列に千鳥配列されている。
【００７３】
この第４構成例において、赤色画素Ｒ１１と赤色画素Ｒ２１との間、緑色画素Ｇ１１の一端側、緑色画素Ｇ２１の他端側（つまり、緑色画素Ｇ２１と緑色画素Ｇ３１との間）、青色画素Ｂ１１と青色画素Ｂ２１との間に、それぞれ列方向Ｖに延出した配向制御手段ＡＬＣが配置されている。
【００７４】
このような第４構成例によれば、電界が形成された状態では、赤色画素Ｒ１１の液晶分子は矢印Ｖ１の方向に配向し、赤色画素Ｒ２１の液晶分子は矢印Ｖ２の方向に配向する。同様にして、緑色画素Ｇ１１の液晶分子は矢印Ｖ２の方向に配向し、緑色画素Ｇ２１の液晶分子は矢印Ｖ１の方向に配向する。また、青色画素Ｂ１１の液晶分子は矢印Ｖ１の方向に配向し、青色画素Ｂ２１の液晶分子は矢印Ｖ２の方向に配向する。
【００７５】
一方で、行方向に並んだ同一色の最近接画素については、赤色画素Ｒ１１の液晶分子が矢印Ｖ１の方向に配向するのに対して、赤色画素Ｒ１２の液晶分子は矢印Ｖ２の方向に配向する。同様に、緑色画素Ｇ１１の液晶分子が矢印Ｖ２の方向に配向するのに対して、緑色画素Ｇ１２の液晶分子は矢印Ｖ１の方向に配向する。また、青色画素Ｂ１１の液晶分子が矢印Ｖ１の方向に配向するのに対して、青色画素Ｂ１２の液晶分子は矢印Ｖ２の方向に配向する。
【００７６】
上述したような行方向Ｈまたは列方向Ｖに並んだ同一色の最近接画素については、略同一階調を表示するため、実質的にマルチドメイン構造を２画素に分配したことになり、広い視野角特性を確保することが可能となる。
【００７７】
また、この第４構成例によれば、第３構成例と同様に、透過率を向上することができ、表示品位の高い液晶表示装置を提供できる。
【００７８】
《第５構成例》
図１１に示す第５構成例は、表示エリアＤＳＰにおいて、赤色画素ＰＸＲ、緑色画素ＰＸＧ、青色画素ＰＸＢに加えて白色画素ＰＸＷなどの合計４種類以上の画素がこの順に行方向Ｈに沿って並んで１グループＧＰを形成する場合を示している。このような第５構成例においては、第３構成例で示したような走査線Ｙに対向するように配向制御手段ＡＬＣを配置した構成が適用可能である。これにより、上記した各構成例と同様の効果が得られる。
【００７９】
《第６構成例》
図１２に示す第６構成例は、第１構成例及び第２構成例の変形例に相当する。すなわち、画素電極ＥＰの略中央を通るように走査線Ｙと略平行に延出した補助容量線ＡＹを備えた構成においては、信号線Ｘに対向する列方向Ｖに延出した配向制御手段ＡＬＣに加えて、補助容量線ＡＹに対向する行方向Ｈに延出した配向制御手段ＡＬＣ'を適用しても良い。
【００８０】
この配向制御手段ＡＬＣ'は、対向電極ＥＴに形成されたスリットＳＬ（図３参照）、対向基板ＣＴのアレイ基板ＡＲと対向する面に配置された突起ＣＰ（図４参照）、または、アレイ基板ＡＲの対向基板ＣＴと対向する面に配置された突起ＣＰ（図５参照）のいずれであっても良い。
【００８１】
補助容量線ＡＹは、遮光性の導電材料によって形成されている。このため、各画素ＰＸにおいて、補助容量線ＡＹが横切る部分は、表示に寄与しない。配向制御手段ＡＬＣ’は、補助容量線ＡＹと重なるように配置されるため、開口率を犠牲にすることは避けられる。
【００８２】
第１構成例及び第２構成例においては、単一画素の液晶分子４０は、配向制御手段ＡＬＣにより概ね一方向（矢印Ｈ１またはＨ２）に配向し、単一のドメインを形成したが、この第６構成例においては、単一画素において複数のドメインが形成可能となる。すなわち、各画素ＰＸの液晶分子４０は、配向制御手段ＡＬＣ及び配向制御手段ＡＬＣ’の相互作用によって形成される電界により、平均的には行方向Ｈ及び列方向Ｖに対して交差する方向に配向する。
【００８３】
これにより、各画素ＰＸにおいて、液晶分子４０は、配向制御手段ＡＬＣ’に対して線対称な方向に配向する。また、配向制御手段ＡＬＣを挟んで対向する隣接する各画素ＰＸにおいては、液晶分子４０は、配向制御手段ＡＬＣに対して線対称な方向に配向する。このため、配向制御手段ＡＬＣを挟んで対向する隣接する２つの画素ＰＸにより、少なくとも４つのドメインが形成され、上述した各構成例よりも、視野角補償効果をさらに向上することが可能となる。
【００８４】
このとき、ドメインの境界となって現れる暗線は、補助容量線ＡＹ及び信号線Ｘと重なる。さらに、配向制御手段ＡＬＣ’は、補助容量線ＡＹと重なる。このため、開口率の低減が避けられ、高い透過率を維持することが可能となる。
【００８５】
《変形例》
この変形例は、上述した第１乃至第６構成例のいずれにも適用可能である。
【００８６】
すなわち、変形例においては、図１３に示すように、液晶表示装置は、画素電極ＥＰと対向電極ＥＴとの間に電界が形成された状態で、狭視野角モードと、広視野角モードとを切り替えるモード切替部ＭＳを備えている。
【００８７】
ここでは、モード切替部ＭＳにより狭視野角モードが選択された場合には、コントローラＣＮＴの制御に基づき、電界形成時に同一配向に配向する画素ＰＸのみを駆動する。たとえば、第１構成例の場合、狭視野角モードが選択された場合、信号線ドライバＸＤは、コントローラＣＮＴの制御に基づき、奇数番の信号線（Ｘ１、Ｘ３、Ｘ５…）のみに映像信号を出力して駆動する。これにより、液晶分子４０が平均的に矢印Ｈ１の方向に配向する画素ＰＸのみが駆動される。
【００８８】
このとき、表示エリアＤＳＰ全体ではマルチドメイン構造とはならず、図１４に示すように、中間調と白との輝度差を視認できる視野角範囲が正面方向を中心として極端に狭くなる。
【００８９】
一方、モード切替部ＭＳにより広視野角モードが選択された場合には、コントローラＣＮＴの制御に基づき、表示エリアＤＳＰにおける全ての画素ＰＸを駆動する。たとえば、第１構成例の場合、広視野角モードが選択された場合、信号線ドライバＸＤは、コントローラＣＮＴの制御に基づき、全ての信号線（Ｘ１、Ｘ２、Ｘ３、…）に映像信号を出力して駆動する。これにより、液晶分子４０が平均的に矢印Ｈ１の方向に配向する画素ＰＸ及び矢印Ｈ２の方向に配向する画素ＰＸが駆動される。
【００９０】
このとき、表示エリアＤＳＰ全体ではマルチドメイン構造となり、図１５に示すように、中間調と白との輝度差を視認できる視野角範囲が全方位に拡大する。
【００９１】
このような狭視野角モードと広視野角モードとの見え方の違いを模式的に示すと、例えば、図１６に示すようになる。すなわち、背景色を白とし、文字や図柄などを中間調とした場合、狭視野角モードでは、その輝度差が正面方向以外では、限りなく小さくなってほとんど視認できないのに対して、広視野角モードでは、その輝度差が正面方向に加えて全方位で視認できる。
【００９２】
（実施例；第１構成例に対応）
この実施例においては、配向制御手段ＡＬＣとして対向電極ＥＴに形成した幅１０μｍのスリットＳＬを適用する。スリットＳＬは、１本置きの信号線Ｘに対向するように形成する。アレイ基板ＡＲ及び対向基板ＣＴの上には、垂直性を示す配向膜を７０ｎｍ厚さで塗布した。アレイ基板ＡＲと対向基板ＣＴとの間のセルギャップは３．８μｍとした。セルギャップには、メルク社製ネガ型液晶材料を注入して液晶表示パネルを作製した。このような構成の液晶表示パネルによれば、表示エリアにおいて、走査線と平行な行方向にある同一色を表示する最近接画素の平均的な方位角方向の液晶分子の配向状態が異なり、かつ、点対称となった。
【００９３】
（比較例）
対向電極ＥＴに、画素の中央を通るように信号線と平行な方向に延びた幅１０μｍのスリットを形成する以外は実施例と同一構成の液晶表示パネルを作製した。このような構成の液晶表示パネルによれば、隣接画素の平均的な方位角方向の液晶分子の配向状態が等しかった。
【００９４】
これらの実施例及び比較例について、透過率を測定した。比較例において、最大電圧を印加した際（つまり白色画面を表示する際）の透過率を１．００としたとき、実施例において、同一電圧を印加した際の透過率は、１．３３であり、透過率の向上が確認できた。
【００９５】
以上説明したように、この実施の形態の液晶表示装置によれば、１画素内のドメインの境界の数を減らすことにより、広い視野角特性を有し透過率を向上することができ、表示品位の良好な画像を表示することが可能となる。
【００９６】
なお、この発明は、上記実施形態そのものに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００９７】
上記した各構成例においては、各画素ＰＸにおける液晶分子４０の電圧印加時の配向制御のために、スリットＳＬや突起ＣＰといった配向制御手段ＡＬＣを適用したが、光配向技術を適用して同一色の最近接画素の配向膜が無電界時に液晶分子４０を互いに逆向きのチルト角で配向するように構成しても良い。
【００９８】
また、配向制御手段ＡＬＣとして適用される突起ＣＰは、上記した実施の形態で説明したような構造に限らない。例えば、図１７に示した例のように、突起ＣＰは、画素間に配置されたブラックマトリクスＢＭ及び複数の着色樹脂を重ねて形成しても良い。なお、図１７では、説明に必要な主要部のみを図示している。
【００９９】
ここに示した例では、絶縁基板３０の上にブラックマトリクスＢＭを形成した後、青色画素ＰＸＢに対応して青色着色樹脂３４Ｂを配置し、赤色画素ＰＸＲに対応して赤色着色樹脂３４Ｒを配置し、さらに、緑色画素ＰＸＧに対応して緑色着色樹脂３４Ｇを配置する。このとき、赤色画素ＰＸＲと緑色画素ＰＸＧとの間には、ブラックマトリクスＢＭ上に赤色着色樹脂３４Ｒ及び緑色着色樹脂３４Ｇが重なって突起ＣＰが形成される。また、赤色画素ＰＸＲと青色画素ＰＸＢとの間には、ブラックマトリクスＢＭ上に赤色着色樹脂３４Ｒ及び青色着色樹脂３４Ｂが重なって突起ＣＰが形成される。なお、配向制御手段が配置されない緑色画素ＰＸＧと青色画素ＰＸＢとの間においては、画素間が平坦となるように着色樹脂を重ねなかった。これらの着色樹脂の上にはオーバーコート層ＯＣが配置され、着色樹脂間の凹凸の影響が緩和される。
【０１００】
このような構成によれば、突起ＣＰを形成するための別途の工程が不要であり、製造工程数の削減及び製造コストの低減が可能となる。
【図面の簡単な説明】
【０１０１】
【図１】図１は、この発明の一実施の形態に係る横電界を利用した液晶モードの液晶表示装置の構成を概略的に示す図である。
【図２】図２は、図１に示した液晶表示装置に適用されるアレイ基板及び対向基板の構造を概略的に示す断面図である。
【図３】図３は、本実施の形態における配向制御手段の構成例を概略的に示す断面図である。
【図４】図４は、本実施の形態における配向制御手段の他の構成例を概略的に示す断面図である。
【図５】図５は、本実施の形態における配向制御手段の他の構成例を概略的に示す断面図である。
【図６】図６は、配向制御手段による電圧印加時の液晶分子の平均的な配向方向を示す平面図である。
【図７】図７は、本実施の形態の第１構成例を説明するための図である。
【図８】図８は、本実施の形態の第２構成例を説明するための図である。
【図９】図９は、本実施の形態の第３構成例を説明するための図である。
【図１０】図１０は、本実施の形態の第４構成例を説明するための図である。
【図１１】図１１は、本実施の形態の第５構成例を説明するための図である。
【図１２】図１２は、本実施の形態の第６構成例を説明するための図である。
【図１３】図１３は、本実施形態の変形例を説明するための図である。
【図１４】図１４は、図１３に示した変形例における狭視野角モードを説明するための図である。
【図１５】図１５は、図１３に示した変形例における広視野角モードを説明するための図である。
【図１６】図１６は、変形例における狭視野角モード及び広視野角モードの見え方の違いを説明するための図である。
【図１７】図１７は、配向制御手段を構成する突起の他の構成例を示す図である。
【符号の説明】
【０１０２】
ＬＰＮ…液晶表示パネル  ＡＲ…アレイ基板  ＣＴ…対向基板
ＬＱ…液晶層  ＢＬ…バックライトユニット  ＰＸ…画素
Ｙ…走査線  Ｘ…信号線  ＡＹ…補助容量線  Ｗ…スイッチング素子
ＥＰ…画素電極  ＥＴ…対向電極  ４０…液晶分子
ＡＬＣ…配向制御手段（ＳＬ…スリット、ＣＰ…突起）
ＭＳ…モード切替部  ＷＰ…配線部
【図１】
2010002727.tif 000003
【図２】
2010002727.tif 000004
【図３】
2010002727.tif 000005
【図４】
2010002727.tif 000006
【図５】
2010002727.tif 000007
【図６】
2010002727.tif 000008
【図７】
2010002727.tif 000009
【図８】
2010002727.tif 000010
【図９】
2010002727.tif 000011
【図１０】
2010002727.tif 000012
【図１１】
2010002727.tif 000013
【図１２】
2010002727.tif 000014
【図１３】
2010002727.tif 000015
【図１４】
2010002727.tif 000016
【図１５】
2010002727.tif 000017
【図１６】
2010002727.tif 000018
【図１７】
2010002727.tif 000019